(57)【要約】【課題】    従来は、龍尾側において、一度に引張り、弦の張装、かつ調弦する装置であった。従って、装置に負担が掛かること、又は一度の操作であり、緊張を始めとして、熟練を要する。また、何人も、簡易に、かつ何時でも、弦の張装、かつ調弦するには、工夫を要する。殊に、会場とか、演奏現場等において、実施しようとしても困難である。【解決手段】    本発明は、琴を横設するベースと、琴とベースを固定する第１手段と、琴に仮張りした弦を、二分割形式で、張装する構成で、一分割を、第１の張装手段で張装、かつ調弦し、残りの一分割を、第２の張装手段で張装、かつ調弦した琴の弦張装装置である。琴の弦張装装置の小型化達成と、装置への負担の軽減化が図れることと、比較的容易な操作を始めとして、高度な熟練を要さず目的達成される。【選択図】      図１
2020042123.tif 000002
【特許請求の範囲】
【請求項１】
琴を横設するためのベースと、前記琴とベースを固定する第１手段と、この琴に仮張りした弦を、二分割形式で、張装する構成であり、
一分割を、第１の張装手段で張装、かつ調弦し、
残りの一分割を、第２の張装手段で張装、かつ調弦し、
たことを特徴とする琴の弦張装装置。
【請求項２】
請求項１に記載の第１の張装手段は、前記仮張りの前記弦の中間部位をチャックする第１止め具と、この第１止め具に設けた第１緊締紐と、この第１緊締紐を張装する第１治具でなり、前記弦の基端から、前記中間部位までの前記弦の前記一分割を緊締、かつ調弦することを特徴とする請求項１に記載の琴の弦張装装置。
【請求項３】
前記第１治具は、一つ、又は複数のガイドロールと、前記第１緊締紐の終端に固止した第１の駒と、この第１の駒を支持する第１螺軸と、この第１螺軸を架承する対の取付け板と、前記第１の駒の前後動を司る前記第１螺軸に設けた第１ハンドルとで構成したことを特徴とする請求項２に記載の琴の弦張装装置。
【請求項４】
前記第１治具は、一つ、又は複数のガイドロールと、前記第１緊締紐を捲装する巻取りロールと、この巻取りロールを支持する回転軸と、この回転軸を保持する第１の駒と、前記回転軸に固止した第１ラチェットとで構成したことを特徴とする請求項２に記載の琴の弦張装装置。
【請求項５】
請求項１に記載の第２の張装手段は、前記仮張りの前記弦の終端部位をチャックする第２止め具と、この第２止め具に設けた第２緊締紐と、この第２緊締紐を張装する第２治具でなり、前記弦の前記中間部位から、前記終端部位までの前記弦の前記残りの一分割を緊締、かつ調弦することを特徴とする請求項１に記載の琴の弦張装装置。
【請求項６】
前記第２治具は、前記第２緊締紐の終端に固止した第２の駒と、この第２の駒を支持する第２螺軸と、この第２螺軸を架承する対の取付け板と、前記第２の駒の前後動を司る前記第２螺軸に設けた第２ハンドルとで構成したことを特徴とする請求項５に記載の琴の弦張装装置。
【請求項７】
前記第２治具は、一つ、又は複数のガイドロールと、前記第２緊締紐を捲装する巻取りロールと、この巻取りロールを支持する回転軸と、この回転軸を保持する第２の駒と、前記回転軸に固止した第２ラチェットとで構成したことを特徴とする請求項５に記載の琴の弦張装装置。
【請求項８】
前記ベースは、前記琴の龍頭を支持する第１ベースと、その龍尾を支持する第２ベースに、分割形態である請求項１に記載の琴の弦張装装置。
【発明の詳細な説明】
【技術分野】
【０００１】
本発明は、琴の弦を、経験が少なくとも、張装、かつ調弦できる琴の弦張装装置に関する。
【背景技術】
【０００２】
従来の張装、かつ調弦に関する技術と、取扱いに関しては、例えば、文献（１）に挙げた、特開２０１６−１３６２２３号公報に説明がある。それによると、「従来、琴糸の張り替えや曲により特定の糸（通称絃）だけを強く張ったり、緩めたりする場合、各自でも可能であるが、ある程度強い力と技術が必要なので、通常女性や男性でも通称琴屋にその作業を依頼していた」。その際に行う所作に関しては、「従来の琴糸締め作業は、一本ずつ強い腕力で琴糸を引張り、所定の張り具合になると、膝や手などでずれないよう固定した後、龍尾にある雲角に前記琴糸を絡めて固定していたが、僅かにずれることがあり、全体の張り具合を一定にするには、琴屋でも締めた後で、琴柱を並べてその並びが悪いと締め直していたので、一般的な十三絃の琴を一台張り替えるには、かなりの時間と技術とそれに強い腕力が必要であった」と記されている。そして、この文献（１）は、ラチェット式のストッパ付ハンドウインチを引張り手段とし、ハンドル操作で、張装と調弦を図ることと、この張装と調弦された張り具合を、ハンドウインチのストッパで保持するとの構成である。
【０００３】
また、同様の考え方として、特開２０１７−１９４６６０号公報が挙げられる（文献（２）とする）。この発明は、龍尾に設けた琴糸挟持固定具と引張り手段を利用し、琴糸の張装、かつ調弦を図る構成である。
【特許文献１】特開２０１６−１３６２２３号公報
【特許文献２】特開２０１７−１９４６６０号公報
【発明の概要】
【発明が解決しようとする課題】
【０００４】
前記文献（１）・（２）は、龍尾側において、一度に引張り、弦を張装、かつ調弦する発明であり、装置に負担が掛かること、又は一度の操作であり、緊張を始めとして、熟練を要する等の課題が考えられる。
【０００５】
従って、何人でも、簡易に、かつ何時でも、弦の張装、かつ調弦をするには、工夫を要する。殊に、会場とか、演奏現場等において、実施しようとしても手間を要すること、段取りと時間的な余裕、又は場所の確保等において配慮を要する等の課題が考えられる。
【課題を解決するための手段】
【０００６】
上記の課題解決を意図し、本考案は、請求項１−８を提供する。
【発明の効果】
【０００７】
請求項１の発明は、琴を横設するためのベースと、琴とベースを固定する第１手段と、琴に仮張りした弦を、二分割形式で、張装する構成であり、
一分割を、第１の張装手段で張装、かつ調弦し、
残りの一分割を、第２の張装手段で張装、かつ調弦し、
たことを特徴とする琴の弦張装装置である。
【０００８】
従って、請求項１では、第１の張装手段と第２の張装手段で、張装と調弦を図る構成であり、例えば、琴の弦張装装置の小型化達成と、装置への負担の軽減が図れることと、比較的容易な操作を始めとして、高度な熟練を要さず目的達成が図れること、等の効果が考えられる。そして、また、何人も、簡易に、かつ何時でも、弦の張装、かつ調弦が図れることと、殊に、会場とか、演奏現場等において、実施可能であり有意義である。
【０００９】
請求項２の発明は、請求項１に記載の第１の張装手段は、仮張りの弦の中間部位をチャックする第１止め具と、第１止め具に設けた第１緊締紐と、第１緊締紐を張装する第１治具でなり、弦の基端から、中間部位までの弦の一分割を緊締、かつ調弦することを特徴とする琴の弦張装装置である。
【００１０】
従って、請求項２では、請求項１の効果と意義を達成できるとともに、そのための第１の張装手段の構造を提案できる。
【００１１】
請求項３の発明は、第１治具は、一つ、又は複数のガイドロールと、第１緊締紐の終端に固止した第１の駒と、第１の駒を支持する第１螺軸と、第１螺軸を架承する対の取付け板と、第１の駒の前後動を司る第１螺軸に設けた第１ハンドルとで構成したことを特徴とする琴の弦張装装置である。
【００１２】
従って、請求項３では、請求項１の効果と意義を達成できるとともに、そのための第１冶具の構造を提案できる。
【００１３】
請求項４の発明は、第１治具は、一つ、又は複数のガイドロールと、第１緊締紐を捲装する巻取りロールと、巻取りロールを支持する回転軸と、回転軸を保持する第１の駒と、回転軸に固止した第１ラチェットとで構成したことを特徴とする琴の弦張装装置である。
【００１４】
従って、請求項４では、請求項１の効果と意義を達成できるとともに、そのための他の第１冶具の構造を提案できる。
【００１５】
請求項５の発明では、請求項１に記載の第２の張装手段は、仮張りの弦の終端部位をチャックする第２止め具と、第２止め具に設けた第２緊締紐と、第２緊締紐を張装する第２治具でなり、弦の中間部位から、終端部位までの弦の残りの一分割を緊締、かつ調弦することを特徴とする琴の弦張装装置である。
【００１６】
従って、請求項５では、請求項１の効果と意義を達成できるとともに、そのための第２の張装手段の構造を提案できる。
【００１７】
請求項６の発明は、第２治具は、第２緊締紐の終端に固止した第２の駒と、第２の駒を支持する第２螺軸と、第２螺軸を架承する対の取付け板と、第２の駒の前後動を司る第２螺軸に設けた第２ハンドルとで構成したことを特徴とする琴の弦張装装置である。
【００１８】
従って、請求項６では、請求項１の効果と意義を達成できるとともに、そのための第２冶具の構造を提案できる。
【００１９】
請求項７の発明では、第２治具は、一つ、又は複数のガイドロールと、第２緊締紐を捲装する巻取りロールと、巻取りロールを支持する回転軸と、回転軸を保持する第２の駒と、回転軸に固止した第２ラチェットとで構成したことを特徴とする琴の弦張装装置である。
【００２０】
従って、請求項７では、請求項１の効果と意義を達成できるとともに、そのための他の第２冶具の構造を提案できる。
【００２１】
請求項８の発明では、ベースは、琴の龍頭を支持する第１ベースと、龍尾を支持する第２ベースに、分割形態である琴の弦張装装置である。
【００２２】
従って、請求項８では、請求項１の効果と意義を達成できるとともに、持ち運びができて重宝する琴の弦張装装置を提案できる。
【図面の簡単な説明】
【００２３】
【図１】琴を、本発明の弦張装装置にセットした正面図（表板側より見た正面）
【図２】琴を、弦張装装置にセットした裏面図（裏板側より見た正面）
【図３】弦張装装置の弦の一分割を緊締（張装と調弦）する第１の張装手段を俯瞰した拡大図
【図４】弦張装装置の第１の張装手段を俯瞰した拡大図
【図５】弦張装装置の第１の張装手段の要部を俯瞰した拡大図
【図６】弦張装装置の第１の張装手段の第１止め具を俯瞰した拡大図
【図６−１】第１の張装手段の第１止め具を説明する拡大図
【図７】弦張装装置の弦の残りの一分割を緊締（張装と調弦）する第２の張装手段を俯瞰した拡大図
【図８】弦張装装置の第２の張装手段の裏面側を俯瞰した拡大図
【図９】図８の龍尾の裏面側を俯瞰した拡大図
【図１０】図１の龍頭の裏面側を俯瞰した拡大図
【図１１】弦張装装置のその他の第１の張装手段の要部を俯瞰した拡大図
【図１２】弦張装装置のその他の第１の張装手段の要部を俯瞰した拡大図
【図１３】弦張装装置のその他の第２の張装手段の要部を俯瞰した拡大図
【発明を実施するための形態】
【００２４】
以下、本発明の好ましい、一実施例を、添付した図面を参照して説明する。この図面と、後述する構成（各実施例）は、好ましい一例の説明であり、各実施例とか図面に限定されない。従って、発明の趣旨の範囲において構成の一部を変更する構造とか、同じ特徴と効果を達成できる構造、等は、本発明の範疇である。
【００２５】
図１、図２において、Ａは琴であって、Ａ１は本体を示す。この本体Ａ１は、表板Ａ２（甲）と、裏板Ａ３（龍腹）、磯Ａ４、並びに龍頭Ａ５、龍尾Ａ６とでなる。
【００２６】
本発明は、琴Ａを横設（凹設）、かつ固定するための第１ベース１と第２ベース２を備えている。第１ベース１と第２ベース２は、持ち運びを意図して分割式であるが、限定されず、一体形状も可能である。そして、少なくとも、第１ベース１は龍頭Ａ５を支持し、第２ベース２は龍尾Ａ６を横設支持する。そして、第２ベース２には、琴Ａを横設するための第３ベース３を垂設する。この第３ベース３を垂設することは、琴Ａの横設に大きな役割があって、この例では、第３ベース３に、裏板１００ｂを添設支持する。併せて、第１ベース１には龍頭Ａ５の磯Ａ４を添設支持し、かつ第２ベース２は龍尾Ａ６の磯Ａ４を添設支持する（図１、図２参照）。尚、第３ベース３は、フレーム３００とベルト３０１で構成されている。従って、琴Ａの裏板Ａ３をフレーム３００に添設し、本体Ａ１は、このフレーム３００に捲装支持されているベルト３０１を利用し、緊締する所作で、第１・第２ベース１、２に図示のように横設固定される。
【００２７】
第２ベース２には、龍頭Ａ５側の一方の磯Ａ４の端部に第１の張装手段５、龍尾Ａ６側の縁部に第２の張装手段６、がそれぞれ設けられている。以下、個別に説明する。
【００２８】
この第１の張装手段５は、図３−図６−１に要部が示されている。即ち、第２ベース２の上面２ａで、かつ琴Ａの龍頭Ａ５側に立設したガイドポール４、４と、このガイドポール４、４に昇降自在に設けた支持ベース５００と、この支持ベース５００に設けた対の取付け板５０１と、この取付け板５０１を貫通した第１ハンドル５０２を有する第１螺軸５０２ａと、この第１螺軸５０２ａに前進後退可能（取付け板５０１間の前進後退である）に設けられた第１の駒５０３と、前記ガイドポール４、４の上端に設けた上板５０４と、前記対の取付け板５０１の上面に差渡すように設けた差渡し板５０５と、この差渡し板５０５と上板５０４との間に螺合した動作螺軸５０７（ハンドル５０７ａを備える）と、前記第１の駒５０３に先端を固定し、かつ第２ベース２より離れる他端を備えた第１緊締紐５０８（ワイヤ）と、この第１緊締紐５０８の他端に設けた弦７を挟持する（弦７の基端７ａから中間部位７ｂを張装する）第１止め具５０９（第２ベース２外に配備した）と、第１緊締紐５０８をガイドする複数のガイドロール５１０と、このガイドロール５１０と第１止め具５０９の間に設けた、琴Ａの表板Ａ２の曲面に倣い、前進後退可能に設けた誘導ロール５１１とでなる。従って、誘導ロール５１１を表板Ａ２の曲面に添わせるように、支持ベース５００に螺着された操作具５１２を介して、表板Ａ２に対峙して前進後退させる（移動する）。誘導ロール５１１は、第２ベース２の上下方向の移動位置で締付けて固定される。そして、第１止め具５０９を一分割の弦７の中間部位７ｂに挟持する。この操作で、弦７の一分割を張装（調弦）する準備が完了したので、第１ハンドル５０２を回し、第１螺軸５０２ａを引き寄せる。この引き寄せで、第１緊締紐５０８を、順次、緊張し、併せて、弦７の一分割の張装が図れる。そして、第１ハンドル５０２を回転操作することで、この弦７の一分割の張装が確保される（図１参照）。尚、動作螺軸５０７を回転することで、支持ベース５００が昇降し、支持ベース５００に設けた第１の駒５０３、差渡し板５０５、第１螺軸５０２ａ、ガイドロール５１０とか、誘導ロール５１１等が昇降する。そして、これらは、動作螺軸５０７等（第１治具）の回転停止で、その位置に留まる。即ち、張装等する弦７の近傍で停止する構成である。図中５０６は第１の駒５０３に開設した第１螺孔である。この第１螺孔５０６には第１螺軸５０２ａが螺合されており、第１ハンドル５０２の回転で第１の駒５０３が動き（第１治具）、第１緊締紐５０８を緊張する。逆操作で第１緊締紐５０８を弛緩する。尚、第１ハンドル５０２（第１螺軸５０２ａ）の締付け（緊締）、締付け解除（弛緩）で、第１の駒５０３の固定と移動と図る。この第１の駒５０３の下端は、支持ベース５００の上面より遊離している（他の例も同じであり、省略する）。尚、前記第１止め具５０９は、図６−１に示すように、緩衝材を抱持する基板５０９ａと、この基板５０９ａに止め具５０９ｃを利用して圧着される当板５０９ｂと、この当板５０９ｂに取付けた第１緊締紐５０８を係止可能とする係止杆５０９ｄとで構成されている。そして、係止杆５０９ｄは、係止体５０９ｄ１と、係止体５０９ｄ１に立設した取付け杆５０９ｄ２と、この取付け杆５０９ｄ２に被嵌される押え係止体５０９ｄ３とでなり、この係止体５０９ｄ１に、第１緊締紐５０８を係止するとともに、取付け杆５０９ｄ２に掛け止めした後に、取付け杆５０９ｄ２に被嵌した係止体５０９ｄ３で簡易、かつ速やかに取付けできる。また弦７は、前記基板５０９ａと当板５０９ｂでグリップされる（以下同じ）。
【００２９】
以上の説明では、支持ベース５００と、この支持ベース５００に設けた第１の駒５０３、差渡し板５０５、第１螺軸５０２ａ、ガイドロール５１０とか、誘導ロール５１１等が昇降する構成を説明したが、支持ベース５００、ガイドロール５１０とか、誘導ロール５１１等の工夫で、支持ベース５００が移動しない構成も可能である。
【００３０】
また、第２の張装手段６は、図７−図８に要部が示されている。即ち、第２ベース２の龍尾Ａ６側の上面２ａに立設したガイドポール４０、４０と、このガイドポール４０、４０に昇降自在に設けた支持ベース６００と、この支持ベース６００に設けた対の取付け板６０１と、この取付け板６０１を貫通した第２ハンドル６０２を有する第２螺軸６０２ａと、この第２螺軸６０２ａに前進後退可能（取付け板６０１間の前進後退である）に設けられた第２の駒６０３と、前記ガイドポール４０、４０の上端に設けた上板６０４と、前記対の取付け板６０１の上面に差渡すように設けた差渡し板６０５と、この差渡し板６０５と前記上板６０４との間に螺合した動作螺軸６０７（ハンドル６０７ａを備える）と、前記第２の駒６０３に先端を固定し、かつ第２ベース２より離れる他端を備えた第２緊締紐６０８（ワイヤ）と、この第２緊締紐６０８の他端に設けた弦７を挟持する（弦７の中間部位７ｂから終端７ｃを張装する）第２止め具６０９（第２ベース２外に配備した）と、で構成する。そして、第２止め具６０９を残りの一分割の弦７の終端７ｃに挟持する。この操作で、弦７の残りの一分割を張装（調弦）する準備が完了したので、第２ハンドル６０２を回し、第２螺軸６０２ａを引き寄せる。この引き寄せで、第２緊締紐６０８を、順次、緊張し、併せて、弦７の残りの一分割の張装が図れる。そして、第２ハンドル６０２を回転操作することで、この弦７の残りの一分割の張装が確保される（図１、図２参照）。尚、動作螺軸６０７を回転することで、支持ベース６００が昇降し、支持ベース６００に設けた取付け板６０１、第２の駒６０３、差渡し板６０５、第２螺軸６０２ａ、第２ハンドル６０２等が昇降する。そして、これらは、動作螺軸６０７等（第２治具）の回転停止で、その位置に留まる。即ち、張装等する弦７の近傍で停止する構成である。図中６０６は第２の駒６０３に開設した第２螺孔である。この第２螺孔６０６には第２螺軸６０２ａが螺合されており、第２ハンドル６０２の回転で第２の駒６０３が動き（第２治具）、第２緊締紐６０８を緊張する。逆操作で第２緊締紐６０８を弛緩する。尚、第２ハンドル６０２（第２螺軸６０２ａ）の締付け（緊締）、締付け解除（弛緩）で、第２の駒６０３の固定と移動と図る。この第２の駒６０３の下端は、支持ベース６００の上面より遊離している（他の例も同じであり、省略する）。尚、前記第２止め具６０９は、緩衝材を抱持する基板６０９ａと、この基板６０９ａに止め具６０９ｃを利用して圧着される当板６０９ｂと、この当板６０９ｂ、及び基板６０９ａに取付けた第２緊締紐６０８を係止可能とする係止用止め具６０９ｄとで構成されている。この係止用止め具６０９ｄに第２緊締紐６０８を取付け、例えば、基板６０９ａと当板６０９ｂを止め具６０９ｃで固止する構造である（以下同じ）。
【００３１】
以上の説明では、支持ベース６００と、この支持ベース６００に設けた第２の駒６０３、差渡し板６０５、第２螺軸６０２ａ等が昇降する構成を説明したが、支持ベース６００等の工夫で、この支持ベース６００が移動しない構成も可能である。
【００３２】
尚、弦７の基端７ａは図１０の如く、龍頭Ａ５の音穴８ａ近傍の内部に弦止め９を利用して固止する。また、弦７の終端７ｃは、図１、図２、図７、図８等のように、龍尾Ａ６のそれぞれの孔１０（龍眼）より音穴８ｂを通り、続いて、龍舌Ａ７より表板Ａ２の弦７に結束する。
【００３３】
図１１−図１３に示したのは、第１・第２の張装手段５、６の別の一例であり、図１−図１０に示した第１・第２ハンドル５０２、６０２、及び第１・第２螺孔５０６、６０６等の代替であって、第１・第２ラチェット５０１−１、６０２−１（第３・第４ハンドル「符号なし」）と爪（図示しない）による構成である。前述の図１−図１０に示した一例との相違点を述べる。図１１、図１２は、第１の張装手段５に代替する例であり、例えば、第１ａの張装手段２０は、支持ベース５００にそれぞれ設けた部材、即ち、複数のガイドロール２０００と、第１緊締紐５０８を捲装する第１巻取りロール２００１と、第１巻取りロール２００１を支持する第１回転軸２００２と、第１回転軸２００２を保持する第１の駒２００３（支持ベース）と、中間板２００４と上板５０４の第１螺孔５０６（第１螺孔５０６は、共通する）に螺合した動作螺軸５０７と、第１回転軸２００２に固止した第１ラチェット２００５とで構成する（第１冶具）。第１ラチェット２００５による第１ａの張装手段２０の張装等の操作は、第１の張装手段５に準ずる。また、第１ラチェット２００５は、前述の第１ハンドル５０２と同じ機能である。図１３は、第２の張装手段６に代替する例であり、例えば、第２ａの張装手段２１は、支持ベース６００にそれぞれ設けた部材、即ち、複数のガイドロール２１００と、第２緊締紐６０８を捲装する第２巻取りロール２１０１と、第２巻取りロール２１０１を支持する第２回転軸２１０２と、第２回転軸２１０２を保持する第２の駒２１０３（支持ベース）と、この第２の駒２１０３、及び／又は、中間板２１０４と上板６０４の第２螺孔６０６（第２螺孔６０６は、共通する）に螺合した動作螺軸６０７と、回転軸２１０２に固止した第２ラチェット２１０５とで構成する（第２冶具）。第２ラチェット２１０５による第２ａの張装手段２１の張装等の操作は、第２の張装手段６に準ずる。また、第２ラチェット２１０５は、前述の第２ハンドル６０２と同じ機能である。また、共通できる部品は、同じ符号を表示する。
【００３４】
以下、第１、第２ハンドル５０２、６０２等を用いる場合の、張装と調弦（弦７張り）の一例を説明する。原則として、一本の弦７に関して説明する。先ず、弦７の基端７ａに弦止め９を取付け、この基端７ａを、龍頭Ａ５の音穴８ａの近傍の本体Ａ１の内面に係止し、例えば、雲角の孔１１より表板Ａ２に引き出し、前述の如く、龍尾Ａ６の孔１０（龍眼）より音穴８ｂを通り、続いて、龍舌Ａ７より表板Ａ２の弦７に結束する。即ち、この所作と、人力で弦７を引っ張り、弦７の仮の取付け（仮の張り）が終了する。所定の本数の弦７を琴Ａに仮取付けする。
【００３５】
その後、琴Ａを第１・第２ベース１、２に立設状態であって、図１の如く、かつベルト３０１で固定する。琴Ａの表板Ａ２を正面側に立設する。即ち、弦７の張装に最適な状態であって、図示のように弦７を正面側に持ってくる。
【００３６】
続いて、前述の如く、先ず、第１の張装手段５による一分割の弦７の張装は、例えば、第１止め具５０９を一分割の弦７の中間部位７ｂに挟持し、弦７の一分割を張装（調弦）する準備が完了する。そこで、第１ハンドル５０２を回し、第１螺軸５０２ａを引き寄せる。この引き寄せで、第１緊締紐５０８を緊張しつつ、弦７の一分割の張装が図れる。この張装状態は、例えば、動作螺軸５０７を螺嵌し、動作螺軸５０７の基端が下がり固定することで、例えば、第１の駒５０３又は第１螺軸５０２ａと、第１ハンドル５０２が固定される。
【００３７】
次いで、第２の張装手段６による残りの一分割の弦７の張装は、前述の如く、例えば、第２止め具６０９を残りの一分割の弦７の音孔８ｂ付近の位置に挟持し、弦７の残りの一分割を張装（調弦）する準備が完了する。そこで、第２ハンドル６０２を回し、第２螺軸６０２ａを引き寄せる。この引き寄せで、第２緊締紐６０８を緊張しつつ、弦７の残りの一分割の張装が図れる。この張装状態は、例えば、動作螺軸６０７を螺嵌し、動作螺軸６０７の基端が下がり固定することで、第２の駒６０３又は第２螺軸６０２ａと、第２ハンドル６０２が固定される。この所作（作業）後に、弦７の終端７ｃを、張装済の弦７に、結束することで、全ての張装が終了する。
【００３８】
以上のようにして、この弦７が張装されると、それぞれの機材を外し、次の弦７−１等の張装に掛かる。その後は、前述の所作の繰り返しである。
【００３９】
尚、図１１−図１３に示した例も略同じであり、説明は割愛する。
【符号の説明】
【００４０】
Ａ  琴
Ａ１  本体
Ａ２  表板
Ａ３  裏板
Ａ４  磯
Ａ５  龍頭
Ａ６  龍尾
Ａ７  龍舌
１  第１ベース
２  第２ベース
２ａ  上面
３  第３ベース
３００  フレーム
３０１  ベルト
４  ガイドポール
４０  ガイドポール
５  第１の張装手段
５００  支持ベース
５０１  取付け板
５０２  第１ハンドル
５０２ａ  第１螺軸
５０３  第１の駒
５０４  上板
５０５  差渡し板
５０６  第１螺孔
５０７  動作螺軸
５０７ａ  ハンドル
５０８  第１緊締紐
５０９  第１止め具
５０９ａ  基板
５０９ｂ  当板
５０９ｃ  止め具
５０９ｄ  係止杆
５０９ｄ１  係止体
５０９ｄ２  取付け杆
５０９ｄ３  押え係止体
５１０  ガイドロール
５１１  誘導ロール
５１２  操作具
５０１−１  第１ラチェット（第３ハンドル）
６  第２の張装手段
６００  支持ベース
６０１  取付け板
６０２  第２ハンドル
６０２ａ  第２螺軸
６０３  第２の駒
６０４  上板
６０５  差渡し板
６０６  第２螺孔
６０７  動作螺軸
６０７ａ  ハンドル
６０８  第２緊締紐
６０９  第２止め具
６０９ａ  基板
６０９ｂ  当板
６０９ｃ  止め具
６０９ｄ  係止用止め具
６０２−１  第２ラチェット（第４ハンドル）
７  弦
７−１  弦
７ａ  基端
７ｂ  中間部位
７ｃ  終端
８ａ  音穴
８ｂ  音穴
９  弦止め
１０  孔（龍尾側の孔）
１１  孔（雲角の孔）
２０  第１ａの張装手段
２０００  ガイドロール
２００１  第１巻取りロール
２００２  第１回転軸
２００３  第１の駒（支持ベース）
２００４  中間板
２００５  第１ラチェット
２１  第２ａの張装手段
２１００  ガイドロール
２１０１  第２巻取りロール
２１０２  第２回転軸
２１０３  第２の駒（支持ベース）
２１０４  中間板
２１０５  第２ラチェット
【図１】
2020042123.tif 000003
【図２】
2020042123.tif 000004
【図３】
2020042123.tif 000005
【図４】
2020042123.tif 000006
【図５】
2020042123.tif 000007
【図６】
2020042123.tif 000008
【図６−１】
2020042123.tif 000009
【図７】
2020042123.tif 000010
【図８】
2020042123.tif 000011
【図９】
2020042123.tif 000012
【図１０】
2020042123.tif 000013
【図１１】
2020042123.tif 000014
【図１２】
2020042123.tif 000015
【図１３】
2020042123.tif 000016